(57)【要約】      （修正有）【課題】予め壁面及び家具等にそれぞれ所定の部材を取り付けておくだけで人手を借りずに簡単に家具等の壁掛け品を壁面に装着することができる壁掛け品の取付具を提供する。【解決手段】壁掛け品の取付具は、家具Ｆに固着される嵌合部材１０と壁面Ｗに固着される係止部材２０より成り、前記嵌合部材１０はその内部に嵌合部１５を形成する空間を有し、前記係止部材２０は前記嵌合部１５に嵌め込まれる係止突部２５を有し、嵌合部１５の天面の傾斜面１５ａと、係止突部２５の上面の傾斜面２５ａはほぼ同一傾斜に形成され、当接して嵌り込むようになっており、係止突部２５の下面２５ｂは小突起１８に制限されて、嵌合部１５内に係止突部２５が嵌り込んだ状態を維持する。【選択図】図１０
0003204575.tif 000002
【実用新案登録請求の範囲】
【請求項１】
壁面に固着される基板から前方に突出する係止突部を有する係止部材と、壁掛け品に固着される基板に形成された前記係止突部の受け入れ空間である嵌合部を有する嵌合部材より成る取付具であって、前記嵌合部の空間前面は前記係止突部を受け入れ可能なように開放され、かつ係止突部の横方向長さよりも長く延び、空間天面は嵌合部材の固着面の方向に上昇する傾斜面によって区画され、前記係止突部の上面は前記傾斜面とほぼ同一傾斜の傾斜面に形成され、この係止突部を前記嵌合部に嵌め合せて前記空間の横方向端部まで片寄せた際に、係止突部の前記空間内における上下移動を制限して嵌合部の傾斜面と係止突部の傾斜面を近接させるストップ手段を前記空間の端部に設けて前記係止突部の前記嵌合部からの抜け出しを阻止した壁掛け品の取付具。
【請求項２】
前記係止部材の基板に、壁面に突き刺す位置決め用刺針を設けた請求項１に記載の壁掛け品の取付具。
【請求項３】
前記嵌合部材の基板に、基板の取付け面方向に上昇する取付穴を設けた請求項１または２に記載の壁掛け品の取付具。
【請求項４】
前記係止部材の基板に、基板の取り付け面方向に下降する取付穴を設けた請求項１〜３のいずれかに記載の壁掛け品の取付具。
【請求項５】
前記ストップ手段は前記空間の端部下隅に設けられた小突起より成り、この小突起の上端面が前記係止突部の下面に当接することによって係止突部の上下動を制限するようにした請求項１〜４のいずれかに記載の壁掛け品の取付具。
【考案の詳細な説明】
【技術分野】
【０００１】
この考案は、郵便物等の小物用差込み棚や装飾品の飾り棚等の壁掛け品を取り付けるために用いる取付具に関する。
【背景技術】
【０００２】
従来から、例えば飾り棚のような家具を壁面に取り付けるためには、Ｌ字形金具が通常用いられている。このＬ字形金具を用いる場合、予め家具に金具の一辺を固着し、その状態で家具を壁面の所定個所に持ち上げて、金具の他辺を釘や木ねじを用いて壁面に固着する作業が必要であって、人手を借りずに単独で行なうには極めて困難な作業である。また、壁面に取り付けた後は、取り外すのにも同様に、困難な作業が伴う。さらに、この種の金具は、例え金具自体に装飾が施されていても外観的に好ましくない。
【０００３】
上記の釘や木ねじによる取り付け作業を少しでも軽減するため、抜き差しが容易な細径の釘を用いて壁に取り付ける取付具が特許文献１に開示されている。しかしながら、この取付具を用いても、比較的サイズの大きな家具の場合は、家具を持ち上げながら壁面に釘を差し込む作業を行なうのは非常に困難である。
【０００４】
そこで、特許文献２に開示されているように、壁面に係止部材を取り付けておき、キャビネットの背面に設けた固定部材を前記係止部材に係止できるようにした取付構造が考えられている。しかしながらこの取付構造では、係止状態を拘束するようになっていないため、キャビネットを所定位置に保持することができず、振動等でキャビネットが簡単に壁面から外れてしまう恐れがある。
【先行技術文献】
【特許文献】
【０００５】
【特許文献１】実用新案登録第３０９４１１１号公報
【特許文献２】特開２０１０−２６４１７６号公報（図６，請求項５）
【考案の概要】
【考案が解決しようとする課題】
【０００６】
そこで、この考案の課題は、予め壁面及び家具等にそれぞれ所定の部材を取り付けておくことによって、人手を借りずに家具等を簡単に壁面に取り付けることができると同時に家具等をその位置に固定して容易に外れないようにすることである。
【課題を解決するための手段】
【０００７】
上記の課題を解決するために、この考案は、壁面に固着される基板から前方に突出する係止突部を有する係止部材と、壁掛け品に固着される基板に形成された前記係止突部の受け入れ空間である嵌合部を有する嵌合部材より成る取付具であって、前記嵌合部の空間前面は前記係止突部を受け入れ可能なように開放され、かつ係止突部の横方向長さよりも長く延び、空間天面は嵌合部材の固着面の方向に上昇する傾斜面によって区画され、前記係止突部の上面は前記傾斜面とほぼ同一傾斜の傾斜面に形成され、この係止突部を前記嵌合部に嵌め合せて前記空間の横方向端部まで片寄せた際に、係止突部の前記空間内における上下移動を制限して嵌合部の傾斜面と係止突部の傾斜面を近接させるストップ手段を前記空間の端部に設けて前記係止突部の前記嵌合部からの抜け出しを阻止できるようにしたのである。
【０００８】
前記係止部材の基板に、壁面に突き刺す位置決め用刺針を設けることができる。また前記嵌合部材の基板に、基板の取付け面方向に上昇する取付穴を設けることができる。さらに前記係止部材の基板に、基板の取付け面方向に下降する取付穴を設けることができる。
【０００９】
前記ストップ手段を前記空間の端部下隅に設けられた小突起によって形成し、この小突起の上端面が前記係止突部の下面に当接することによって、係止突部の上下動を制限するようにしておくのが好ましい。
【考案の効果】
【００１０】
この考案によれば、以上のように、家具等の壁掛け品をわずかに横方向に片寄せるだけで、係止部材と嵌合部材の抜け止め機構が作用し、壁掛け品ががたついたり振動で落下するような虞れがなく、また家具等の壁面への取り付け、取り外しを簡単に人手を借りずに行なうことができる。また、嵌合部材を所定位置に固着することによって、壁掛け品を交換して壁面に取り付けることができる。
【図面の簡単な説明】
【００１１】
【図１】この考案の取付具を示す斜視図、
【図２】取付具の一方の嵌合部材を示す背面図、
【図３】同上の嵌合部材の正面図、
【図４】図３のIV−IV線に沿った断面図、
【図５】取付具の他方の係止部材を示す正面図、
【図６】同上の係止部材の縦断面図、
【図７】同上の係止部材の背面図、
【図８】家具の嵌合部材と壁面の係止部材の取付作業の手順を示す斜視図、
【図９】取付具の固定方法の一例を示す縦断面図、
【図１０】取付具の係止過程を示す縦断面図である。
【考案を実施するための形態】
【００１２】
以下、この考案の実施形態を添付図面に基づいて説明する。図１に示すように、この考案の取付具は、家具に固着される嵌合部材１０と、壁面に固着される係止部材２０より成り、嵌合部材１０は係止部材２０に嵌め合わせて係止されるようになっている。
【００１３】
前記嵌合部材１０は、図１、２、３に示すように、ほぼ長方形板状の基板１１の一側縁に頂壁１２、両端縁に端壁１３、１３を設け、基板１１の前面は開放された開口１４を形成した薄いトレー体より成り、頂壁１２に対応する底面も開放されている。前記開口１４の上縁に沿って、トレー体の内側方向に肉厚部１６が形成され、その下端に傾斜面１５ａが形成されている。この傾斜面１５ａと基板１１及び一方の端壁１３と仕切板１７によって画される空間は、後述する係止部材２０の係止突部２５を受け入れる嵌合部１５となる。この嵌合部１５の一端は、前記仕切板１７によって遮断され、他端の下隅に後述するロック用小突起１８が設けられ、さらに嵌合部１５の下面には、係止突部２５を嵌め合せたときの脱落を防止する受け板１９が設けられている。なお、基板１１に設けられた長方形の窓１５ｂは、成形上の理由のほか、後述する嵌め合せ作業時に、前記嵌合部１５の空間に連通して、嵌合部１５の空間内における係止突部２５の相対的な移動を妨害しないようにするためである。
【００１４】
前記頂壁１２、端壁１３の内側面１２ａ、１３ａは、基板１１と鈍角をなすように傾斜しており、この側面１２ａ、１３ａとほぼ直角に取付穴１２ｂ、１３ｂがそれぞれ形成されている。従って取付穴１２ｂ、１３ｂは基板１１に対して傾斜している。なお、上記のような基板１１とそれに設けられた各部分は、合成樹脂の一体成形によって形成するのが好ましい。その際、軽量化や材料コスト削減のため、任意の個所に凹所や空隙を設けることができる。
【００１５】
前記係止部材２０は、図１及び図５乃至図７に示すように、ほぼ長方形板状の基板２１に横方向の溝２２、２３、２４を設け、中央に係止突部２５を設けたものであって、前記溝は中央の突部２５を挟むように形成され、溝の断面はほぼ三角形（もしくは台形でもよい）で、溝の一側面は、基板２１と鈍角をなすように傾斜する内側面２２ａ、２３ａ、２４ａになっており、これらの内側面には、それぞれ複数の取付穴２２ｂ、２３ｂ、２４ｂが基板２１を貫通して設けられている。これらの取付穴は、図６から明らかなように、基板２１の裏面方向に下降するように傾斜している。基板２１の裏面は平坦になっており、この裏面から複数の短い刺針２６が突出している。
【００１６】
前記基板２１の表面から前方に突出する係止突部２５は、上端面が基板２１の方向に下降する傾斜面２５ａ、下端面２５ｂ及び前面２５ｃが平坦面で、断面形状がほぼ台形になっており、従って上端傾斜面２５ａと前面２５ｃは、ほぼ楔形を形成している。これらの基板２１及び係止突部２５から成る係止部材２０は、合成樹脂の一体成形によって形成するのが好ましい。その際、必要に応じて任意の個所に空隙等を形成することができる。
【００１７】
図８に示すように、上記のような嵌合部材１０と係止部材２０をそれぞれ家具Ｆと壁面Ｗに固着する。まず、家具Ｆには、その家具を支持できる適当な個所に、複数の嵌合部材１０を、図２に示す面を内面にして家具Ｆに当接させ、図３に示す面を外面にして適当な木ねじ等を取付穴１２ｂ、１３ｂに挿し込んで固着する。一方、係止部材２０は、壁面Ｗの家具Ｆを設置する所定位置に、家具Ｆの嵌合部材１０と対応させて取り付ける。壁面Ｗに当接させる面は、言うまでもなく基板２１の平坦面であり、この面に刺針２６が設けられているので、これを壁面Ｗに突き刺して位置決めを行なった後に、針釘等を取付穴２２ｂ、２３ｂ、２４ｂに挿し込んで壁面Ｗに固着すればよい。これによって、係止部材２０の係止突部２５が壁面Ｗから突出した状態で固定される。
【００１８】
家具Ｆは、壁掛け用であるから軽量であることが望ましい。例えば桐材のような軽量材は、比較的硬度が小さく釘等の保持力が弱いので、嵌合部材１０を固着した場合の耐荷重性を強化しておく必要が生じる。一方壁面Ｗも石膏ボードや薄い合板からなる中空壁の場合も、釘等の保持力が弱いので、係止部材２０の耐荷重性を強化しなければならない。そこで、図９に示すように、嵌合部材１０の取付穴１２ｂを家具Ｆの上部方向に上昇するごとく傾斜させておいて木ねじＳで固着し、他の取付穴１３ｂは基板１１に対して外側に開くように傾斜させて木ねじ等で固定するのが好ましい。また、係止部材２０の取付穴２２ｂ、２４ｂは、壁面Ｗの内側方向に下降する傾斜を持たせ、針釘Ｐ等で固着するのがよい。さらに、係止部材２０の壁面Ｗに対する密着性を向上させるため、取付穴の中の一部を取付穴２４ｃのように壁面Ｗの内側方向に上昇する傾斜を持たせておくことができる。壁面Ｗが比較的軟質の石膏ボードのような場合には、これらの取付穴に挿入する釘等として細長いピンを用い、これを押し込むことによって固定することができる。
【００１９】
次に、嵌合部材１０と係止部材２０を嵌め合せて係止する順序を説明する。図８について説明したように、家具Ｆに嵌合部材１０、壁面Ｗに対応する係止部材２０を固着した後、家具Ｆを持ち上げて図８の矢印Ａ方向に家具Ｆを壁面Ｗに接近させ、嵌合部材１０を壁面Ｗの係止部材２０とそれぞれ一致させる。その状態を図１０（ａ）に示す。そこで図１０（ｂ）に示すように、家具Ｆを壁面Ｗにさらに接近させて、係止部材２０の係止突部２５を図１０（ｂ）に示すように、嵌合部材１０の嵌合部１５の空間内に嵌め込む。このとき、係止突部２５の最大高さＨ１（図６）は、嵌合部１５の入口の高さＨ２（図４）よりも小さくしてあるため、係止突部２５は困難なく嵌合部１５の入口に入り込む。そして図１０（ｃ）に示すように、係止突部２５の前面が嵌合部材１０の基板１１に当接するまで家具Ｆを壁面Ｗに押し付ける。このとき、係止突部２５の傾斜面２５ａと嵌合部１５の傾斜面１５ａは、ほぼ同角度で同幅（傾斜面同志の接触面の幅）にしてあるので、突部２５の楔形先端部は嵌合部空間の楔形先端部に丁度嵌り込む。そこで図８の矢印Ｂに示す方向に家具Ｆを壁面Ｗに沿ってわずかにスライドさせると、係止突部２５の側面が嵌合部材１０の端壁１３の内側面１３ａに当接して停止すると共に、係止突部２５は嵌合部１５の隅角部に設けられた小突起１８に乗り上げる。このため、係止突部２５は、その下端面２５ｂが小突起１８の上面に阻止されてそれ以上下方に移動することができない。即ち小突起１８がストッパとなって係止突部２５の上下動を制限している。一方嵌合部１５の空間の入口は小突起１８の上面から傾斜面１５ａの先端までの高さＨ３（図４）に制限され、かつ係止突部２５の傾斜面２５ａは嵌合部１５の傾斜面１５ａとほぼ当接した状態にあるから、係止突部２５は高さＨ３に制限された嵌合部１５の入口（図４）から抜け出すことができない。従って、家具Ｆの嵌合部１５に壁面Ｗの係止突部２５がロックされた状態となる。なお、嵌合部１５を形成する空間の横方向長さは、係止突部２５の横方向長さよりも大きくしてある。また、嵌合部１５の下縁に設けられた受け板１９は、図１０（ｃ）のような嵌合作業中に、係止突部２５が何らかの相対移動によって嵌合部１５から外れるのも防止し、嵌合部１５の窓１５ｂは、係止突部２５の楔状先端部が回動等の相対移動した場合に、基板１１に衝突するのを防止する。
【００２０】
この考案の嵌合部材１０と係止部材２０は、上述のような構成であるが、種々の壁掛け用家具に対して、嵌合部材１０の取付け位置を所定位置に予め定めておき、壁面には、その嵌合部材１０に対応する位置に係止部材２０を取り付けておくと、その都度嵌合部材１０と係止部材２０を固着することなく種々の家具を取り換えて壁面に設置することができる互換性を持たせることが可能となる。また、係止部材２０の位置決め手段として刺針を用いたが、その他粘着剤層を離型紙で被覆したものでもよい。さらに、この考案の嵌合部材と係止部材は、家具に限らず、額縁、仮面、彫刻品等の壁掛け品にも用いることができる。
【符号の説明】
【００２１】
１０  嵌合部材
１１  基板
１２  頂壁
１２ａ  内側面
１２ｂ  取付穴
１３  端壁
１３ａ  内側面
１３ｂ  取付穴
１４  開口
１５  嵌合部
１５ａ  傾斜面
１５ｂ  窓
１６  肉厚部
１７  仕切板
１８  小突起
１９  受け板
２０  係止部材
２１  基板
２２、２３、２４  溝
２２ａ、２３ａ、２４ａ  溝の内側面
２２ｂ、２３ｂ、２４ｂ  取付穴
２５  係止突部
２５ａ  傾斜面
２５ｂ  下端面
２５ｃ  前面
２６  刺針
Ｆ  家具
Ｈ１、Ｈ２、Ｈ３  高さ
Ｐ  針釘
Ｓ  木ねじ
Ｗ  壁面
【図１】
0003204575.tif 000003
【図２】
0003204575.tif 000004
【図３】
0003204575.tif 000005
【図４】
0003204575.tif 000006
【図５】
0003204575.tif 000007
【図６】
0003204575.tif 000008
【図７】
0003204575.tif 000009
【図８】
0003204575.tif 000010
【図９】
0003204575.tif 000011
【図１０】
0003204575.tif 000012